(57)【特許請求の範囲】
【請求項１】
画素データが入力されると順に処理する第１処理手段と、
複数の前記画素データからなる画像領域の特徴量を得るための特徴量取得手段と、
前記得られた特徴量に基づき、前記第１処理手段で処理された画素データを処理するための第２処理手段と、
メモリを接続するための接続手段と、
前記接続手段が前記第１処理手段の前段または前記第１処理手段と前記第２処理手段との間のいずれかに配置されるように回路を切換えるための切換手段とを備えた、画像処理回路。
【請求項２】
複数の色データの組からなる画素データの入力に応じて、第１の状態では前記複数の色データを複数の画像色データに変換し、第２の状態では前記複数の色データを１つの画像色データに変換する第１処理手段と、複数の前記画素データからなる画像領域の特徴量を得るための特徴量取得手段と、
前記得られた特徴量に基づき、前記第１の状態では前記第１処理部で変換された複数の画像色データを処理し、前記第２の状態では前記第１処理部で変換された１つの画像色データを処理する第２処理手段と、
メモリを接続するための接続手段と、
前記第１の状態では前記第１処理手段の前段に前記複数の色データに対応して複数の前記接続手段が配置されるように回路を切換え、前記第２の状態では前記第１処理手段と前記第２処理手段との間に前記１つの画像色データに対応して前記接続手段が配置されるように回路を切換える切換手段とを備えた、画像処理回路。
【発明の詳細な説明】
【０００１】
【発明の属する技術分野】
この発明は画像処理装置および画像処理回路に関し、特に、複写方式の異なるカラー複写機に適用可能な画像処理装置および画像処理回路に関する。
【０００２】
【従来の技術】
従来、カラー複写機には２つの方式が知られている。第１の方式は、１つの感光体ドラムと、トナー像を感光体ドラムに形成する４つの現像器を備える４サイクル方式のカラー複写機である。４つの現像器は、シアン（Ｃ）、マゼンタ（Ｍ）、イエロー（Ｙ）、およびブラック（Ｋ）の４色のトナーごとに設けらる。４サイクル方式のフルカラー複写機では、現像器で感光体ドラムに静電潜像を形成する工程と、感光体ドラムに形成された静電潜像を用紙へ転写する工程とが、シアン、マゼンタ、イエロー、ブラックの順に４回繰り返し行われる。したがって、１回の画像形成で感光体ドラムが４回転する。
【０００３】
第２の方式は、シアン（Ｃ）、マゼンタ（Ｍ）、イエロー（Ｙ）、およびブラック（Ｋ）の４つの現像器に感光体ドラムがそれぞれ対応して設けられるタンデム方式のカラー複写機である。タンデム方式のカラー複写機は、４つの感光体ドラムに静電潜像がほぼ同時に形成され、用紙が４つの感光体ドラムと順に接する際に、それぞれの感光体ドラムに形成された静電潜像が転写される。
【０００４】
このため、タンデム方式の複写機は、４サイクル方式の複写機に比べて、画像を形成する速度が速いというメリットがある。一方、タンデム方式の複写機は、感光体ドラムを４つ設けるので、１つの感光体ドラムを用いる４サイクル方式のカラー複写機に比べてコストが高くなるというデメリットがある。ユーザには低速であっても価格の安いものを望む場合と、比較的高価であってもより高速なものを望む場合とがあり、これらのニーズに応えていくためにメーカとしては各々の方式のカラー複写機を提供していく必要がある。
【０００５】
【発明が解決しようとする課題】
上述の２つの方式のカラー複写機は、共通して４つの現像器を備える。このため、原稿を読取ってから４つの現像器それぞれで静電潜像を形成するためのデータ、すなわち、感光体ドラムに照射するレーザを発生させるためのデータは同じである。したがって、原稿を読取ってからレーザ光を照射するためのデータを出力するまでの回路を各々の方式のカラー複写機ごとに別個に設計していたのではそのための設計工数が多大に費やされることになり、生産性が悪い。
【０００６】
また、一般的に量産される個数が多くなればなるほど１個当りの単価を下げる効果が生じるので、生産性の点でも価格の点でも回路を共通にすることが考えられる。
【０００７】
しかしながら、タンデム方式のカラー複写機では、シアン、マゼンタ、イエロー、およびブラックの４つの静電潜像を形成するためのデータを各々の感光体ドラムに書込むのでほぼ同時に発生させるのに対し、４サイクル方式のカラー複写機では、１つの感光体ドラムに順次画像データを書込んでいくので、シアン、マゼンタ、イエローおよびブラックの４つのデータを順に発生する。このように、データ発生のタイミングが両方式で異なる。
【０００８】
一般的に、画像データの処理と、後段のデータ処理に必要となる文字や写真などの特徴を得るための処理とは並列に行なわれているが、後者の特徴を得るための処理は複数の画素データに基づいて行なわれるので、これと並列的に行なわれる処理に比して処理時間が多くかかってしまうという課題がある。後段のデータ処理に前段で処理された画像データとこれと並列的に処理された特徴量とを同期して入力させるためには、前段のデータ処理において特徴量を得るための処理時間だけデータを遅延させる必要があるが、このデータ発生のタイミングの違いにより、データの遅延が必要な回路においては、必要なメモリの数が異なる場合がある。すなわち、タンデム方式ではほぼ同時に４つのデータが発生するので、データを遅延させるためのメモリは４つのデータ分必要となるのに対し、４サイクル方式では１つのデータが順次発生するので１つのデータ分だけのメモリで済む。しかしながら、タンデム方式と４サイクル方式とで共通に用いることのできる回路とするためには、必要なメモリが多い方式にメモリの数を合わせなければならず、必要なメモリが少ない方式にとっては不要なメモリを搭載する分だけコストアップとなってしまうといった問題がある。
【０００９】
この発明は上述の問題点を解決するためになされたもので、この発明の目的の１つは、メモリのコストを低減した画像処理装置を提供することである。
【００１０】
この発明の他の目的は、異なる用途に用いることができるとともに、用途に応じて用いるメモリの数を変更することが可能な画像処理回路を提供することである。
【００１１】
【課題を解決するための手段】
上述の目的を達成するためにこの発明のある局面によれば、画像処理回路は、画素データが入力されると順に処理する第１処理手段と、複数の画素データからなる画像領域の特徴量を得るための特徴量取得手段と、得られた特徴量に基づき、第１処理手段で処理された画素データを処理するための第２処理手段と、メモリを接続するための接続手段と、接続手段が第１処理手段の前段または第１処理手段と第２処理手段との間のいずれかに配置されるように回路を切換えるための切換手段とを備える。
【００１４】
この発明に従えば、接続手段が第１処理手段の前段または第１処理手段と第２処理手段との間のいずれかに配置されるので、接続手段にメモリを接続すれば、特徴量取得手段で取得された特徴量と第１処理手段で処理された画素データとが第２処理手段に同期して入力される。切換え手段により、第１処理手段の前段または第１処理手段と第２処理手段との間のいずれかに接続手段を配置するように切換えられるので、第１処理手段の前後で画素データの量が異なる場合には、画素データの量が少ない側に接続手段を配置することができる。このため、異なる用途に用いることができるとともに、用途に応じて用いるメモリの数が最小となるように変更することが可能な画像処理回路を提供することができる。
【００１５】
この発明のさらに他の局面によれば、画像処理回路は、複数の色データの組からなる画素データの入力に応じて、第１の状態では複数の色データを複数の画像色データに変換し、第２の状態では複数の色データを１つの画像色データに変換する第１処理手段と、複数の画素データからなる画像領域の特徴量を得るための特徴量取得手段と、得られた特徴量に基づき、第１の状態では第１処理部で変換された複数の画像色データを処理し、第２の状態では第１処理部で変換された１つの画像色データを処理する第２処理手段と、メモリを接続するための接続手段と、第１の状態では第１処理手段の前段に複数の色データに対応して複数の接続手段が配置されるように回路を切換え、第２の状態では第１処理手段と第２処理手段との間に１つの画像色データに対応して接続手段が配置されるように回路を切換える切換手段とを備える。
【００１６】
この発明に従えば、第１の状態では、複数の接続手段が第１処理手段の前段に複数の色データに対応して配置されるので、接続手段にメモリを接続すれば、特徴量取得手段で取得された特徴量と第１処理部で変換された複数の画像色データとが第２処理手段に同期して入力される。第２の状態では、接続手段が第１処理手段と第２処理手段との間に１つの画像色データに対応して配置されるので、接続手段にメモリを接続すれば、特徴量取得手段で取得された特徴量と第１処理部で変換された１つの画像色データとが第２処理手段に同期して入力される。また、第１の状態では、複数の接続手段が複数の色データに対応して配置され、第２の状態では接続手段が１つの画像色データに対応して配置される。このため、第１の状態と第２の状態とで配置される接続手段の数が異なる。この結果、異なる用途に用いることができるとともに、用途に応じて用いるメモリの数が最小となるように変更することが可能な画像処理回路を提供することができる。
【００１７】
【発明の実施の形態】
以下、本発明の実施の形態について図面を参照して説明する。なお、図中同一符号は同一または相当する部材を示し、重複する説明は繰返さない。
【００１８】
図１は、本発明の実施の形態の１つにおける画像処理装置の概略構成を示すブロック図である。図１を参照して、画像処理装置１０は、原稿をカラーで読取るための電荷結合素子（ＣＣＤ：Charge Coupled Device）１１０と、ＣＣＤ１１０で読取られた赤（Ｒ）、緑（Ｇ）、青（Ｂ）のアナログ信号をデジタル信号に変換するためのアナログ／デジタル変換部（以下「Ａ／Ｄ変換部」という）１１と、ライン間補正部１３と、画像の倍率変更や位置の移動を行なうための変倍移動部１５と、色相変換を行なうためのＨＶＣ（Hue value Chroma）変換部１７と、画像データ中の網点やエッジなどの領域を検出するための領域判別部２１と、ＲＧＢの色データをＣＭＹ色空間で表わされるＣＭＹＫの画像色データに変換および補正する色補正部１９と、色補正部１９で変換および補正されたＣＭＹＫの画像色データに領域判別部２１により判別された結果に応じてエッジ強調やスムージングを施すためのＭＴＦ補正部２３とを含む。
【００１９】
ＣＣＤ１１０は、原稿を読取り、偶数番目の画素データ（ＲＥＶＥＮ、ＧＥＶＥＮ、ＢＥＶＥＮ）と奇数番目の画素データ（ＲＯＤＤ、ＧＯＤＤ、ＢＯＤＤ）とを出力する。Ａ／Ｄ変換部１１は、ＣＣＤ１１０が出力する偶数番目の画素データと奇数番目の画素データとを合成し、合成された画素データ（アナログ信号）をデジタル信号に変換する。
【００２０】
変倍移動部１５は、画像の倍率を変更したり、画像の位置を移動したりする処理を行なう。ＨＶＣ変換部１７は、画像の下地レベルの補正や、色相変換などを行なう。色補正部１９は、濃度変換、色補正、ＵＣＲ／ＢＰ（under color removal/black paint）とを行なう。
【００２１】
ＭＴＦ（modulation transfer function）変換部２３は、画像のエッジ強調やスムージングを行なう。
【００２２】
次に、データの流れを説明すると、ＣＣＤ１１０により、ＲＧＢの色データからなる画素データが読取られ、Ａ／Ｄ変換部１１でデジタルデータに変換される。そして、必要な補正処理等が行なわれた後、色補正部１９において、ＲＧＢの色データからＣＭＹＫの画像色データに変換される。一方、画素データは、領域判別部２１において、画素データが属する領域の属性が判別される。
【００２３】
ここでいう領域の属性とは、その画素データが属する領域の性質をいい、属性の違いによりＭＴＦ補正部２３で行われる処理が異なってくる。たとえば、画素データが属する領域に文字が表わされている場合の属性は「文字」であり、写真が表わされ手いる場合の属性は「写真」であり、領域が網点で表されている場合の属性は「網点」である。属性が「文字」の領域の画素データには、ＭＴＦ補正部でエッジを強調する処理が施され、属性が「写真」の領域の画素データには、ＭＴＦ補正部でスムージングなどの処理が施される。
【００２４】
領域の属性の判別は、処理対象となる画素データとその周辺の画素データとからなるＭ×Ｎのブロックに含まれる画素データを用いて判別される。したがって、領域判別部２１でＭ×Ｎのブロックの属性を判別するためには、ＣＣＤ１１０で読取った複数ラインの画素データが必要となる。たとえば、領域判別部２１で３×３の大きさのブロックを用いて属性を判別する場合、処理対象となる画素データのラインよりも１つ前のラインと１つ後のラインとが領域判別部２１に入力される必要がある。領域判別部で判別された属性データＡＭｌｅｔｃは、ＭＴＦ補正部２３に送られる。
【００２５】
ＭＴＦ補正部２３では、色補正部１９から受信したＣＭＹＫの画像色データＣ１、Ｍ１、Ｙ１、Ｋ１を、領域判別部２１から受信した属性データＡＭｌｅｔｃに基づいてＭＴＦ補正を行なう。ＭＴＦ補正部２３で色補正部１９からＣＭＹＫの画像色データを受信するタイミングと、領域判別部２１から属性データＡＭｌｅｔｃを受信するタイミングとは同期がとられている。この同期をとるために、領域判別部２１で領域判別処理を行なう時間を吸収するために、色補正部１９の前後にメモリが設けられる。
【００２６】
本実施の形態における画像処理装置１０が、４サイクル方式のカラー複写機に適用される場合には、色補正部１９は、シアン（Ｃ）、マゼンタ（Ｍ）、イエロー（Ｙ）、およびブラック（Ｋ）の順に画像色データをＭＴＦ補正部２３に順に出力する。したがって、ＣＣＤ１１０では、同じ原稿を４回読取って、同じＲＧＢの色データを４回出力することになる。
【００２７】
一方、本実施の形態における画像処理装置１０をタンデム方式のカラー複写機に適用する場合には、ＣＣＤ１１０で１回の原稿読取を行ない、色補正部１９は、ＣＭＹＫの画像色データを同時にＭＴＦ補正部２３に送信する。
【００２８】
図２は、本実施の形態における画像処理装置１０の回路の一部を示す回路図である。図２は、ＨＶＣ変換部１７、色補正部１９、およびＭＴＦ補正部２３の接続関係を示している。図２を参照して、ＨＶＣ変換部１７のＲ出力端子は、スイッチＳ４のＡ端子およびスイッチＳ１のＢ端子と接続されている。また、ＨＶＣ変換部１７のＧ出力端子は、ソケットＢ２７の入力端子およびスイッチＳ２のＢ端子と接続されている。さらに、ＨＶＣ変換部１７のＢ出力端子は、ソケットＣ２９の入力端子とスイッチＳ３のＢ端子と接続されている。
【００２９】
ソケットＡ２５は、その入力端子がスイッチＳ４のＣ端子と接続され、その出力端子がスイッチＳ１のＡ端子およびスイッチＳ５のＢ端子と接続されている。ソケットＢ２７の出力端子は、スイッチＳ２のＡ端子と接続されている。ソケットＣ２９の出力端子は、スイッチＳ３のＡ端子と接続されている。
【００３０】
スイッチＳ１のＣ端子は色補正部１９のＲ入力端子と接続され、スイッチＳ２のＣ端子は色補正部１９のＧ入力端子と接続され、スイッチＳ３のＣ端子は色補正部１９のＢ入力端子と接続されている。
【００３１】
色補正部１９のＣ出力端子は、スイッチＳ４のＢ端子およびスイッチＳ５のＡ端子と接続されている。色補正部１９のＭ出力端子、Ｙ出力端子、およびＫ出力端子は、ＭＴＦ補正部２３の対応する入力端子に接続されている。スイッチＳ５のＣ端子は、ＭＴＦ補正部２３のＣ入力端子と接続されている。
【００３２】
スイッチＳ１〜スイッチＳ５は、Ｃ端子とＡ端子との接続、または、Ｃ端子とＢ端子との接続を切替え可能である。
【００３３】
本実施の形態における画像処理装置１０では、ソケットＡ２５、ソケットＢ２７、および、ソケットＣ２９には、必要な容量のメモリが装着可能となっている。そして、スイッチＳ１〜スイッチＳ５をＣ端子とＡ端子との接続に切換えることにより、ＨＶＣ変換部１７と色補正部１９との間に、ソケットＡ２５、ソケットＢ２７、および、ソケットＣ２９が配置される。そして、色補正部１９のＣ出力端子が、ＭＴＦ補正部２３のＣ入力端子と接続される。
【００３４】
また、スイッチＳ１〜スイッチＳ５をＣ端子とＢ端子との接続に切換えることにより、ＨＶＣ変換部１７のＲ出力端子、Ｇ出力端子、およびＢ出力端子は、色補正部１９のＲ入力端子、Ｇ入力端子、およびＢ入力端子にそれぞれ直接接続される。そして、色補正部１９のＣ出力端子が、ソケットＡ２５の入力端子と接続され、ソケットＡ２５の出力端子がＭＴＦ補正部２３のＣ入力端子と接続される。
【００３５】
このように、スイッチＳ１〜スイッチＳ５のＣ端子をＡ端子との接続またはＢ端子との接続に切換えることにより、回路を変更することができる。
【００３６】
スイッチＳ１〜スイッチＳ５は、ジャンパー線や０Ω抵抗、もしくは回路をＡＳＩＣなどで集積化した場合には２ｉｎ１セレクタなどで構成される。したがって、スイッチＳ１〜スイッチＳ５をジャンパー線や０Ω抵抗で構成した場合には、Ｃ端子とＡ端子との接続、または、Ｃ端子とＢ端子との接続のいづれかでジャンパー線や０Ω抵抗が画像処理装置１０に実装される。
【００３７】
また、スイッチＳ１〜スイッチＳ５を２ｉｎ１セレクタで構成した場合には、セレクト端子をソフト設定する方法や、プルアップ抵抗またはプルダウン抵抗を用いて論理固定する方法などを用いことにより、Ｃ端子とＡ端子との接続、または、Ｃ端子とＢ端子との接続のいずれかに切換えることができる。
【００３８】
図３は、本実施の形態における画像処理装置１０が適用されるタンデム方式のカラー複写機の概略構成を示す模式的断面図である。図３を参照して、カラー複写機１００は、原稿から画像データを読取るイメージリーダ部１０１と、用紙上に画像を印刷するプリンタ部１０２とから構成されている。
【００３９】
イメージリーダ部１０１の原稿台１０３上に載置された原稿は、スキャナ１０４の備える露光ランプ１０５により照射される。原稿面からの反射光は、ミラー１０６〜１０８および集光レンズを介してＣＣＤ１１０上に像を結ぶ。ＣＣＤ１１０は、原稿面からの反射光をＲＧＢの色データ（アナログ信号）に変換して画像処理装置１０に出力する。スキャナ１０４は、スキャナモータ１１２により矢印方向に移動して原稿全体を走査する。
【００４０】
画像処理装置１０は、ＣＣＤ１１０から入力されるアナログ信号に上述した処理を施してレーザ装置１１３にデジタル信号を出力する。
【００４１】
ここで画像処理装置１０からレーザ装置１１３に出力されるデジタル信号は、シアン用の画像色データＣ２と、マゼンタ用の画像色データＭ２と、イエロー用の画像色データＹ２と、ブラック用の画像色データＫ２である。レーザ装置１１３は、入力された画像色データＣ２，Ｍ２，Ｙ２，Ｋ２に基づいて、シアン、マゼンタ、イエロー、ブラックそれぞれの感光体ドラム１１５Ｃ，１１５Ｍ，１１５Ｙ，１１５Ｋにレーザビームを出力する。
【００４２】
プリンタ部１０２において、レーザ装置１１３から出力されるレーザビームは、帯電チャージャ１１４Ｃ，１１４Ｍ，１１４Ｙ，１１４Ｋによって帯電された感光体ドラム１１５Ｃ，１１５Ｍ，１１５Ｙ，１１５Ｋを露光し、静電潜像を形成する。シアン、マゼンタ、イエロー、およびブラックの４色の現像器１１６Ｃ，１１６Ｍ，１１６Ｙ，１１６Ｋにより、感光体ドラム１１５Ｃ，１１５Ｍ，１１５Ｙ，１１５Ｋ上の静電潜像が現像される。
【００４３】
一方、無端ベルト３２０は、駆動ローラ３２２Ａと固定ローラ３２２Ｂ，３２２Ｃ，３２２Ｄとにより弛まないように懸架されている。駆動ローラ３２２Ａが図中で反時計回りに回転すると、無端ベルト３２０が所定速度で図中で反時計回りに回転する。
【００４４】
給紙カセット１２０〜１２２より適当な用紙が搬送され、タイミングローラ１２３から無端ベルト３２０に用紙が供給される。無端ベルト３２０に供給された用紙は、無端ベルト３２０上に担持され、図中で左方向に搬送される。これにより、用紙がシアン、マゼンタ、イエロー、ブラックの順に感光体ドラム１１５Ｃ，１１５Ｍ，１１５Ｙ，１１５Ｋと接触する。用紙がそれぞれの感光体ドラム１１５Ｃ，１１５Ｍ，１１５Ｙ，１１５Ｋと接触したときに、感光体ドラムと対をなす転写チャージャ１２７Ｃ，１２７Ｍ，１２７Ｙ，１２７Ｋにより感光体ドラム上に現像されたトナー像が用紙に転写される。
【００４５】
トナー像が転写された用紙は、定着ローラ対１３２により加熱される。これにより、トナーは溶かされて用紙に定着する。その後、用紙はプリンタ部１０２から排出される。
【００４６】
図４は、タンデム方式のカラー複写機１００に適用される画像処理装置１０の回路の一部を示す回路図である。図４を参照して、スイッチＳ１〜スイッチＳ５は、Ｃ端子とＡ端子との接続に切換えられている。そして、ソケットＡ２５には、メモリＡ３１が装着され、ソケットＢ２７にはメモリＢ３３が装着され、ソケットＣ２９にはメモリＣ３５が装着されている。
【００４７】
このため、ＨＶＣ変換部１７のＲ出力はメモリＡ３１の入力端子と接続され、メモリＡ３１の出力端子は色補正部１９のＲ入力端子と接続される。ＨＶＣ変換部のＧ出力端子はメモリＢ３３の入力端子と接続され、メモリＢ３３の出力端子は色補正部１９のＧ入力端子と接続される。ＨＶＣ変換部のＢ出力端子は、メモリＣ３５の入力端子と接続され、メモリＣ３５の出力端子は色補正部１９のＢ入力端子と接続される。
【００４８】
また、色補正部１９のＣ出力端子は、ＭＴＦ補正部２３のＣ入力端子と接続される。さらに、色補正部１９のＭ出力端子、Ｙ出力端子、およびＫ出力端子は、それぞれＭＴＦ補正部２３のＭ入力端子、Ｙ入力端子、Ｋ入力端子と接続される。
【００４９】
このように、スイッチＳ１〜Ｓ５をＣ端子とＡ端子との接続に切換えることにより、ＨＶＣ変換部１７と色補正部１９との間にメモリＡ３１，メモリＢ３３，メモリＣ３５を接続することができる。これらのメモリ３１，３３，３５は、ＲＧＢの色データそれぞれに対して設けられるので、ＨＶＣ変換部１７が出力するＲＧＢの色データＲ４，Ｇ４，Ｂ４を、色補正部１９に入力するタイミングをメモリＡ３１，メモリＢ３３、およびメモリＣ３５で遅らすことができる。また、色補正部１９が出力するＣＭＹＫの画像色データＣ１，Ｍ１，Ｙ１，Ｋ１は、直ちにＭＴＦ補正部２３に入力される。
【００５０】
色補正部１９には３つの色データが入力されて、４つの画像色データが出力されるので、色補正部１９の後段にメモリを設置するよりも前段に設置する方がメモリの数を少なくすることができる。
【００５１】
図５は、本実施の形態における画像処理装置１０が適用される４サイクル方式のカラー複写機の概略構成を示す模式的断面図である。図５を参照して、カラー複写機２００は、原稿から画像データを読取るイメージリーダ部１０１と、用紙上に画像を印刷するプリンタ部２０２とから構成されている。イメージリーダ部１０１は、タンデム方式のカラー複写機１００のイメージリーダ部１０１と同じ構成なのでここでは説明を繰返さない。
【００５２】
画像処理装置１０は、イメージリーダ部１０１で第１回目の原稿の読取が行なわれると、レーザ装置２１３にシアン用の画像色データＣ２を出力する。そして、イメージリーダ部１０１で第２回目の原稿の読取が行なわれると、レーザ装置２１３にマゼンタ用の画像色データＭ２を出力する。そして、イメージリーダ部１０１で第３回目の原稿の読取が行なわれると、レーザ装置２１３にイエロー用の画像色データＹ２を出力する。最後に、イメージリーダ部１０１で第４回目の原稿の読取が行なわれると、レーザ装置２１３にブラック用の画像色データＫ２を出力する。
【００５３】
プリンタ部２０２において、レーザ装置２１３から出力されるレーザビームは、帯電チャージャ２１４により帯電された感光体ドラム２１５を露光し、静電潜像を形成する。レーザ装置２１３が画像処理装置１０から受信した画像色データに対応する現像器により、感光体ドラム２１５上の静電潜像が現像される。シアン用の画像色データがレーザ装置２１３で受信された場合には、シアン用の現像器２１６により感光体ドラム２１５上の静電潜像が現像される。同様に、マゼンタ用の画像色データＭ２の場合にはマゼンタ用の現像器２１７により、イエロー用の画像色データＹ２の場合にはイエロー用の現像器２１８により、ブラック用の画像色データＫ２の場合にはブラック用の現像器２１９によりそれぞれ感光体ドラム２１５上の静電潜像が現像される。
【００５４】
給紙カセット２２０〜２２２により適当な用紙が搬送され、搬送される用紙はタイミングローラ２２３を通過する。吸着ローラ２２４に対向して設けられる静電吸着チャージャ２２５により転写ドラム２２６に用紙が吸着される。
【００５５】
感光体ドラム２１５上に現像されたトナー像は、転写チャージャ２２７により転写ドラム２２６上に巻付けられた用紙に転写される。転写ドラム２２６の回転は、ドラムモータ２２８により制御される。カラーコピーの実行時、上述の印字工程は、シアン、マゼンタ、イエローおよびブラックの４色について繰返し行なわれる。すなわち転写ドラム２２６が４回転する。
【００５６】
その後用紙が分離チャージャ２２９と分離爪２３１の作用とによって転写ドラム２２６から分離され、定着ローラ対２３２に搬送される。定着ローラ対２３２では、用紙が加熱され、トナーが溶かされて用紙に定着する。その後、用紙はプリンタ部２０２から排出される。
【００５７】
図６は、４サイクル方式のカラー複写機２００に適用される画像処理装置１０の回路の一部を示す回路図である。図６を参照して、スイッチＳ１〜スイッチＳ５は、Ｃ端子とＢ端子との接続に切換えられている。そして、ソケットＡ２５には、メモリＡ３１が装着され、ソケットＢ２７，ソケットＣ２９にはメモリは装着されていない。
【００５８】
このようにスイッチＳ１〜スイッチＳ５をＣ端子とＢ端子との接続に切換えることにより、ＨＶＣ変換部１７のＲ出力端子、Ｇ出力端子、およびＢ出力端子は、それぞれが、色補正部１９のＲ入力端子、Ｇ入力端子、Ｂ入力端子と直接接続される。
【００５９】
また、色補正部１９のＣ出力端子はメモリＡ３１の入力端子と接続され、メモリＡ３１の出力端子はＭＴＦ補正部２３のＣ入力端子と接続される。
【００６０】
本実施の形態における画像処理装置１０が４サイクル方式のカラー複写機２００に適用される場合には、色補正部１９は、画像色データを４回に分けて出力する。すなわち、イメージリーダ部１０１が第１回目の原稿の読取を行なう場合には、Ｃ出力端子からシアン用の画像色データＣ１を出力し、第２回目の読取を行なう場合にはＣ出力端子からマゼンタ用の画像色データＭ１を出力し、第３回目の読取を行なう場合にはＣ出力端子からイエロー用の画像色データＹ１を出力し、第４回目の読取を行なう場合にはＣ出力端子からブラック用の画像色データＫ１を出力する。
【００６１】
スイッチＳ１〜スイッチＳ５をＣ端子とＢ端子との接続に切換えることにより、色補正部１９が出力する画像色データＣ１，Ｍ１，Ｙ１，Ｋ１が、メモリＡ３１に入力される。これにより、ＭＴＦ補正部２３に入力される画像色データＣ１，Ｍ１，Ｙ１，Ｋ１がＭＴＦ補正部２３に入力されるタイミングを遅延させることができる。
【００６２】
図７は、本実施の形態における画像処理装置１０がタンデム方式のカラー複写機に適用される場合と４サイクル方式のカラー複写機に適用される場合とにおけるスイッチおよびメモリの違いを示す図である。図７を参照して、画像処理装置１０がタンデム方式のカラー複写機に適用される場合には、スイッチＳ１〜スイッチＳ５はＣ端子とＡ端子との接続に切換えられ、メモリＡ３１，メモリＢ３３，メモリＣ３５が装着される。
【００６３】
一方、４サイクル方式のカラー複写機に適用される場合には、スイッチＳ１〜スイッチＳ５がＣ端子とＢ端子との接続に切換えられ、メモリＡが用いられる。そしてメモリＢおよびメモリＣは用いられない。
【００６４】
このように、本実施の形態における画像処理装置１０は、スイッチＳ１〜スイッチＳ５を切換えることにより、タンデム方式のカラー複写機に用いる回路と、４サイクル方式のカラー複写機に用いる回路とに切り替えることができる。このため、タンデム方式のカラー複写機に適用する画像処理装置１０と４サイクル方式のカラー複写機に適用する画像処理装置１０とを同じ基板で製造することができ、画像処理装置１０の基板を製造するコストを低減することができる。
【００６５】
また、スイッチＳ１〜スイッチＳ５を切換えるだけで回路構成を異ならせることができるので、回路設計に要する工数を低減することができる。その結果、画像処理回路の設計コストを低減することができる。
【００６６】
また、画像処理装置１０をタンデム方式のカラー複写機に適用する場合にはメモリＡ３３，メモリＢ３５，メモリＣ３７を装着し、４サイクル方式のカラー複写機に適用する場合にはメモリＡ３７のみを装着し、メモリＢ３３およびメモリＣ３５を装着する必要がない。このため、画像処理装置１０をタンデム方式と４サイクル方式とで共通に設計した場合であっても、画像処理装置１０を４サイクル方式のカラー複写機に適用する場合には、タンデム方式で必要なメモリＢ３３およびメモリＣ３５を搭載する必要がないので、４サイクル方式に使用する画像処理装置１０のコストを低減することができる。その結果、メモリの最適な実装を簡単な構成で達成することができる。
【００６７】
なお、本実施の形態においては、画像処理装置１０をカラー複写機に適用する場合を説明したが、カラー複写機に限られず、パーソナルコンピュータやプリンタを制御するプリンタコントローラであってもよい。また、画像処理装置１０の説明を、ＲＧＢの色データおよびＣＭＹＫの画像色データで説明したが、これに限られず、別の表示単位系のデータ処理においても適用することができるのは言うまでもない。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態の１つにおける画像処理装置の概略構成を示すブロック図である。
【図２】  本実施の形態における画像処理装置１０の回路の一部を示す回路図である。
【図３】  本実施の形態における画像処理装置１０が適用されるタンデム方式のカラー複写機の概略構成を示す模式的断面図である。
【図４】  タンデム方式のカラー複写機１００に適用される画像処理装置１０の回路の一部を示す回路図である。
【図５】  本実施の形態における画像処理装置１０が適用される４サイクル方式のカラー複写機の概略構成を示す模式的断面図である。
【図６】  ４サイクル方式のカラー複写機２００に適用される画像処理装置１０の回路の一部を示す回路図である。
【図７】  本実施の形態における画像処理装置１０がタンデム方式のカラー複写機に適用される場合と４サイクル方式のカラー複写機に適用される場合におけるスイッチおよびメモリの違いを示す図である。
【符号の説明】
１０  画像処理装置、１１  Ａ／Ｄ変換部、１３  ライン間補間部、１５  変倍移動部、１７  ＨＶＣ変換部、１９  色補正部、２１  領域判別部、２３  ＭＴＦ補正部、２５  ソケットＡ、２７  ソケットＢ、２９  ソケットＣ、３１  メモリＡ、３３  メモリＢ、３５  メモリＣ、Ｓ１，Ｓ２，Ｓ３，Ｓ４，Ｓ５  スイッチ。
【図１】
0003780810.tif 000002
【図２】
0003780810.tif 000003
【図３】
0003780810.tif 000004
【図４】
0003780810.tif 000005
【図５】
0003780810.tif 000006
【図６】
0003780810.tif 000007
【図７】
0003780810.tif 000008